(57)【要約】本発明は、プッシュボタンを押して液状化粧品を化粧ブラシに排出させて化粧できるようになったペンシルタイプの容器に関し、より詳しくは、内容物を排出する排出部の構造を改善して組立てによる生産性が向上されるとともに製造原価を低めることができる発明に関する。本発明は、プッシュボタンの押し作動によって容器本体に収容された内容物を化粧ブラシに排出させて使用できるようになった容器であって、内容物が収容される第１のケース１１とポンプチューブ３０が設置される第２のケース１２とからなった容器本体１０と、第１のケース１１に装着されるチェックバルブ２０と、前記第２のケース１２の内部に設置されるポンプチューブ３０と、前記ポンプチューブ３０の先端に装着されたバルブ５０と、前記ポンプチューブ３０を押すプッシュボタン６０と、第２のケース１２の先端に露出するように設置された化粧ブラシ４０と、で構成された液状ファンデーション定量排出容器により達成できる。【選択図】図３
2009517298.tif 000002
【特許請求の範囲】
【請求項１】
内容物を押し出すピストン１１ａを具備した容器本体１０と、
ポンプチューブ３０の内容物流入孔３１を開閉するチェックバルブ２０と、
容器本体１０から内容物が流入され、流入された内容物を排出するポンプチューブ３０と、
前記ポンプチューブ３０の内容物排出口３２に位置するバルブ５０と、
前記容器本体１０の先端として設置される化粧ブラシと、
ポンプチューブ３０を押すプッシュボタン６０と、で構成されることを特徴とする、
液状内容物の定量排出容器。
【請求項２】
前記容器本体１０は、第１のケース１１と第２のケース１２とで形成されることを特徴とする、
請求項１に記載の液状内容物の定量排出容器。
【請求項３】
前記プッシュボタン６０が別に構成されずにポンプチューブ３０と一体に形成されることを特徴とする、
請求項１に記載の液状内容物の定量排出容器。
【請求項４】
前記ポンプチューブ３０は、一側端に内容物流入孔３１が形成されており、その反対側に、外周面に形成された環状縁３２ａを基点として開きながら内容物を排出する内容物排出口３２が形成されることを特徴とする、
請求項１に記載の液状内容物の定量排出容器。
【請求項５】
前記容器本体１０内にピストン１１ａに代えて薄いチューブ８０が設置されることを特徴とする、
請求項１または請求項３に記載の液状内容物の定量排出容器。
【発明の詳細な説明】
【技術分野】
【０００１】
本発明は、プッシュボタンを押して液状化粧品を化粧ブラシに排出させて化粧できるようになっているペンシルタイプの容器に関し、より詳しくは、内容物を排出する排出部の構造を改善して組み立てによる生産性を向上させると同時に、製造原価を低めることができる発明に関する。
【背景技術】
【０００２】
液状の揮発性がある液状化粧品は、水気または揮発性溶媒が大気中に揮発されると、元々の機能を喪失するようになる。
【０００３】
このように水気または揮発性物質が含まれている化粧品では、アイライナー、リップグロス、リップカラー、アイセラム、アンチリンクル、ファンデーションなどが例示できる。
【０００４】
前記化粧品は、空気との接触を最小化できる容器に貯蔵して使用することが好ましく、前記化粧品の空気との接触を最小化することができる容器が多様に開発されている。
【０００５】
その中でもプッシュボタンの作動によって内容物を定量ずつ排出して使用できるように着眼された容器では、本願の出願人が先登録した大韓民国実用新案登録第２３０１０４号公報と、大韓民国実用新案出願第２００５−１９６３１号公報と、大韓民国実用新案出願第２００５−１９７８７号公報に開示された発明がある。
【０００６】
前記の先登録考案と先出願は、基体に設置されたプッシュボタンを押すと、前記プッシュボタンの押し作動によりねじ棒が回転し、前記ねじ棒に螺合されたピストンが内容物を移動させて化粧ブラシに内容物を排出して使用できるようになり、内容物を定量ずつ排出使用するとともに揮発物質の揮発を防止することができる長所を有しているが、内容物を排出させるメカニズムが複雑で、製造生産による生産原価を低めることが難しいだけではなく、組立て作業が複雑で組立て時に多い人力を投入しなければならず、組立てに長時間が所要されるため、生産性を向上させることが困難であった。
【発明の開示】
【発明が解決しようとする課題】
【０００７】
本発明は、上述したような従来技術の問題点を解決するためになされたもので、その目的は、プッシュボタンを押すと、ポンプチューブが圧縮されてポンプチューブに流入された内容物が化粧ブラシに排出され、プッシュボタンに加えられた外圧が除去されてポンプチューブが元の状態に戻るときには、内容物排出路が遮断されるとともにチェックバルブが開きながら容器本体に収容された内容物がチューブポンプに流入されるようにする繰り返し動作によって内容物を排出できるように、排出部の構造を改善することにより、構造が単純化され、従来排出部のような超精密加工が不必要となるので、製造生産による気難しさを解消するとともに、生産による製造原価を低めることができ、組立て生産による作業工程の単純化により、組立て作業に必要な人力の減少はもちろん生産性の向上により製品の大量生産が可能であり、排出部の機能喪失による製品の欠点が発生しない、液状内容物の定量排出容器を提供することにある。
【課題を解決するための手段】
【０００８】
前記目的を達成するため、本発明は、プッシュボタンの押し作動によって容器本体に収容された内容物を化粧ブラシに排出させて使用できるようになった容器であって、内容物が収容される第１のケース１１とポンプチューブ３０が設置される第２のケース１２とからなった容器本体１０と、第１のケース１１に装着されるチェックバルブ２０と、前記第２のケース１２の内部に設置されるポンプチューブ３０と、前記ポンプチューブ３０の先端に装着されたバルブ５０と、前記ポンプチューブ３０を押すプッシュボタン６０と、第２のケース１２の先端に露出されるように設置された化粧ブラシ４０と、で構成された液状ファンデーションの定量排出容器により達成できる。
【発明の効果】
【０００９】
本発明による液状内容物の定量排出容器は、第２のケース１２の内部に設置されたポンプチューブ３０をプッシュボタン６０で押すと、ポンプチューブ３０が圧縮されて内容物流入孔３１を通じて前記ポンプチューブ３０に流入された内容物が内容物排出口３２を通じて化粧ブラシ４０に排出され、プッシュボタン６０に加えられた外圧が除去されてポンプチューブ３０が元の状態に戻す時には、チェックバルブ２０の開閉棒２２により遮断されていた内容物流入孔３１が開放されるとともに第１のケース１１に収容された内容物がチューブポンプ３０に流入されるようにする繰り返し動作によって内容物を化粧ブラシ４０に排出使用するようにすることにより、化粧ブラシを有する容器の構造を単純化し、内容物を排出させる手段を超精密加工する必要がなくて製造生産による気難しさを解消するとともに生産による製造原価を低めることができ、組立て生産による作業工程が単純化されて組立て作業に必要な人力が減少し、生産性の向上により製品の大量生産が可能であり、内容物を排出させる手段の機能喪失により発生できる製品の信頼度低下を予防することができる利点がある。
【発明を実施するための最良の形態】
【００１０】
以下、本発明の好ましい実施の形態について、添付図面を参照しつつ詳細に説明する。
【００１１】
図１乃至図４に示したように、本発明による液状内容物の定量排出容器は、内容物が収容される第１のケース１１と前記第１のケース１１にアンダーカット締結される第２のケース１２とからなった容器本体１０と、前記第１のケース１１の先端に設置されるチェックバルブ２０と、前記第２のケース１２の内部に設置されるポンプチューブ３０と、前記ポンプチューブ３０の先端に装着されたバルブ５０と、第２のケース１２の先端に設置される化粧ブラシ４０と、からなっている。
【００１２】
前記容器本体１０を構成する第１のケース１１は上部が開放されており、内部には収容された内容物を押し上げるピストン１１ａが設置される。
【００１３】
前記第１のケース１１の上部に設置されるチェックバルブ２０は、ポンプチューブ３０への内容物流入が可能にリブ２１により内容物移送通路が形成されており、前記リブ２１を媒介としてポンプチューブ３０の内容物流入孔３１を選択的に遮断するか開放する開閉棒２２が形成されている。
【００１４】
前記第１のケース１１にアンダーカット装着される第２のケース１２の内部に設置されるポンプチューブ３０は、外周面にプッシュボタン６０により押される押し板３３が形成され、前記押し板３３の対向側にクッション脚３４が形成されている。
【００１５】
前記ポンプチューブ３０の一側端には、容器本体１０を形成する第１のケース１１に収容された内容物が流入される内容物流入孔３１が形成されている。
【００１６】
内容物流入孔３１と反対側には、内容物排出口３２が形成されており、ポンプチューブ３０の内部から発生する排出圧力により前記内容物排出口３２の開放と遮断とを可能にする環状縁３２ａが、内容物排出口３２の外側に形成されている。
【００１７】
前記内容物排出口３２には、第２のケース１２の内壁に接触すると同時に内容物の排出を可能とする十字型のリブ５１を具備したバルブ５０の基体５２が、装着されている。
【００１８】
化粧ブラシ４０は、前記バルブ５０のリブ５１に対して接触するように、前記第２のケース１２の先端に設置される。具体的には、化粧ブラシ４０は、中央にノズルチップ４２を有する固定板体４１に設置される。
【００１９】
前記第２のケース１２には、化粧ブラシ４０に異物が混入されることを防止するように、蓋７０が設置される。
【００２０】
上述のように構成された本発明による液状内容物の定量排出容器の容器本体１０をなす第１のケース１１に収容された内容物を排出使用しようとする時には、第２のケース１２に装着された蓋７０をオープンした後、図４のように第２のケース１２のプッシュボタン装着溝１２ａに設置されたプッシュボタン６０を押して、ポンプチューブ３０を圧出させるようになる。
【００２１】
前記ポンプチューブ３０を押すプッシュボタン６０を作動させる時には、突き出された上部６１を押す。
【００２２】
前記のように、プッシュボタン６０を押すと、加圧部６２がポンプチューブ３０の押し板３３を押すようになり、前記ポンプチューブ３０は、図５のように圧縮される。
【００２３】
前記のように、プッシュボタン６０により圧縮されるポンプチューブ３０の内部には、排出圧力が発生するようになる。
【００２４】
前記ポンプチューブ３０内に排出圧力が発生すると、内容物流入孔３１はチェックバルブ２０の開閉棒２２に密着されて遮断され、内容物排出口３２は排出圧力により開放される。
【００２５】
排出圧力によって開放される内容物排出口３２は、前記内容物排出口３２の外側に形成された環状縁３２ａを基点として先端部が開かれながらバルブ５０から離隔され、ポンプチューブ３０内の内容物が、内容物排出口３２が開けられて形成された隙間を通じて、化粧ブラシ４０に排出される。
【００２６】
前記のように、プッシュボタン６０を押してポンプチューブ３０内の内容物を化粧ブラシ４０に排出してから、プッシュブラシ６０に加えた外圧を除去するようになる。
【００２７】
前記のように、プッシュボタン６０への外圧が除去されると、自体弾性力によって膨脹するポンプチューブ３０により、プッシュボタン６０は元の位置に復帰するようになる。
【００２８】
前記ポンプチューブ３０が膨脹する時には、ポンプチューブ３０を形成している内容物排出口３２と内容物流入孔３１は、図６のようになる。
【００２９】
すなわち、ポンプチューブ３０が膨脹する時の内容物排出口３２に加えた排出圧力が消滅されて前記内容物排出口３２がバルブ５０に密着される。前記ポンプチューブ３０内に発生する真空圧力により内容物流入孔３１が形成された部位が弾性変形し、チェックバルブ２０の開閉棒２２により遮断されていた前記の内容物流入孔３１が、開放される。
【００３０】
前記内容物流入孔３１が開放されると、容器本体１０を構成する第１のケース１１に収容された内容物が、チェックバルブ２０を経て内容物流入孔３１を通じてポンプチューブ３０内を満たすようになる。
【００３１】
前記第１のケース１１内の内容物がポンプチューブ３０に流入される時、前記第１のケース１１の内部に設置されたピストン１１ａが、図２に示すように移動して、内容物が常にポンプチューブ３０の内容物流入孔３１に対して隣接するようにする。
【００３２】
以上のように、化粧ブラシ４０に内容物を排出した状態で化粧ブラシ４０に付けられた内容物で化粧するようになる。
【００３３】
また、図７に示したように、プッシュボタン６０を別に構成しないで、ポンプチューブ３０に一体に形成することもできる。
【００３４】
また、図８に示したように、ピストン１１ａを設置しないでチューブで構成することもできる。
【００３５】
化粧を終えた後には、第２のケース１２に蓋７０を装着して化粧ブラシ４０に異物が付けないようにして保管する。
【図面の簡単な説明】
【００３６】
【図１】本発明のよる液状内容物の定量排出容器を示す斜視図である。
【図２】図１のＡ−Ａ線に沿って切断した断面図である。
【図３】本発明による 液状内容物の定量排出容器の重要部を抜粹した分離斜視図である。
【図４】本発明による液状内容物の定量排出容器のプッシュボタンを押す以前の状態を示す例示図である。
【図５】本発明による液状内容物の定量排出容器のプッシュボタンを押して内容物を排出させる状態を示す例示図である。
【図６】本発明による液状内容物の定量排出容器のプッシュボタンに押し圧が除去されてポンプチューブが膨脹する時の容器本体の内容物がポンプチューブ内に流入される状態を示す例示図である。
【図７】本発明による液状内容物の定量排出容器の他の実施例を示す断面図である。
【図８】本発明による液状内容物の定量排出容器のまた他の実施例を示す断面図である。
【図１】
2009517298.tif 000003
【図２】
2009517298.tif 000004
【図３】
2009517298.tif 000005
【図４】
2009517298.tif 000006
【図５】
2009517298.tif 000007
【図６】
2009517298.tif 000008
【図７】
2009517298.tif 000009
【図８】
2009517298.tif 000010
【国際調査報告】
2009517298.tif 000011
2009517298.tif 000012